(57)【要約】【課題】  コンピュータ装置への改造が不要であり、ハードディスクの損傷やハードディスクとコンピュータ装置筐体とのショートの発生を防止できるハードディスク接続装置を提供する。【解決手段】  コンピュータ装置もしくは蓄電部からの電源の供給時に所定の表示を行う表示部と、コンピュータ装置からの電源の供給が停止してから、予め設定した時間が経過した場合、表示部の表示を消す時間制御部と、コンピュータ装置からの電源の供給時に充電を行い、コンピュータ装置からの電源供給が停止した場合、放電を開始し表示部と時間制御部に電源を供給する蓄電部とを含むハードディスク接続装置。【選択図】      図２
2016100029.tif 000002
【特許請求の範囲】
【請求項１】
コンピュータ装置もしくは蓄電部からの電源の供給時に所定の表示を行う表示部と、
前記コンピュータ装置からの電源の供給が停止してから、予め設定した時間が経過した場合、前記表示部の表示を消す時間制御部と、
前記コンピュータ装置からの電源の供給時に充電を行い、前記コンピュータ装置からの電源供給が停止した場合、放電を開始し前記表示部と前記時間制御部に電源を供給する蓄電部と
を含むハードディスク接続装置。
【請求項２】
前記時間制御部が計時する予め設定した時間は、前記コンピュータ装置からハードディスクへの電源の供給停止からハードディスク内のプラッタの惰性回転が終了し停止するまでの時間を基準にして設定される
請求項１記載のハードディスク接続装置。
【請求項３】
前記蓄電部は、前記コンピュータ装置からの電源の供給が停止した場合、前記蓄電部の放電がハードディスクへ漏洩することを遮断するスイッチ回路を有する請求項１または２に記載のハードディスク接続装置。
【請求項４】
ハードディスクキャリア装置を前記コンピュータ装置から抜去できない状態にする抜去防止機構を更に備え、
前記コンピュータ装置からの電源の供給時および前記コンピュータ装置からの電源の供給が停止してから予め設定した時間が経過するまでの時間、前記時間制御部が前記ハードディスクキャリア装置を前記コンピュータ装置から抜去できない状態にし、
前記コンピュータ装置からの電源の供給が停止してから予め設定した時間が経過した場合、前記時間制御部が前記ハードディスクキャリア装置を前記コンピュータ装置から抜去できる状態にする請求項１ないし３のいずれか１項に記載のハードディスク接続装置。
【請求項５】
前記時間制御部の制御により予め設定された音を鳴らすスピーカ部を更に備え、
前記コンピュータ装置からの電源の供給が停止してから予め設定した時間が経過した場合、前記時間制御部が予め設定された音を前記スピーカ部が鳴らすよう制御する請求項１ないし４のいずれか１項に記載のハードディスク接続装置。
【請求項６】
請求項１ないし５のいずれか１項に記載のハードディスク接続装置と、
前記ハードディスク接続装置に接続するハードディスクとを少なくとも含むハードディスクキャリア装置。
【請求項７】
コンピュータ装置からの電源の供給時、蓄電部が充電を行い、
表示部がハードディスクキャリア装置抜去禁止である旨の表示を行い、
前記コンピュータ装置からの電源の供給が停止した場合、時間制御部がタイマーの計時を開始し、前記蓄電部が放電を開始し、前記表示部と前記時間制御部に給電し、
前記コンピュータ装置からの電源の供給が停止し予め設定した時間が経過した場合、前記時間制御部が前記表示部のハードディスクキャリア装置抜去禁止である旨の表示を消す
ハードディスク抜去防止方法。
【請求項８】
前記時間制御部が計時する予め設定した時間は、前記コンピュータ装置からハードディスクへの電源供給停止からハードディスク内のプラッタの惰性回転が終了し停止するまでの時間を基準にして設定される
請求項７記載のハードディスク抜去防止方法。
【請求項９】
前記蓄電部は、前記コンピュータ装置からの電源の供給が停止し放電を開始した場合、放電によるハードディスクへの電荷の漏洩を遮断するスイッチ回路を有する請求項７または８に記載のハードディスク抜去防止方法。
【請求項１０】
ハードディスクキャリア装置を前記コンピュータ装置から抜去できない状態にする抜去防止機構を更に備え、
前記コンピュータ装置からの電源の供給時、前記時間制御部が前記ハードディスクキャリア装置を前記コンピュータ装置から抜去できない状態にし、
前記コンピュータ装置からの電源の供給が停止し予め設定した時間が経過した場合、前記時間制御部がハードディスクキャリア装置を前記コンピュータ装置から抜去できる状態にする請求項７ないし９のいずれか１項に記載のハードディスク抜去防止方法。
【発明の詳細な説明】
【技術分野】
【０００１】
本発明は、ハードディスクの損傷や筐体とのショート発生を防止するハードディスク接続装置、ハードディスクキャリア装置およびハードディスク抜去防止方法に関する。
【背景技術】
【０００２】
一般的に、コンピュータ装置運用時の振動緩和のため、ハードディスクの周囲を支えるようにキャリアが取り付けられるハードディスクキャリア装置が知られている。また、ハードディスクの個別電源制御を可能とするために、ハードディスクのコネクタに取りつけられる基板付のコネクタであるハードディスク接続装置も知られている。
【０００３】
ハードディスク接続装置において、作業者がハードディスク内のプラッタの惰性回転中にハードディスクを抜き取ることによるハードディスクの損傷や、プラッタの惰性回転により発生する逆起電力に起因する、コンピュータ装置からハードディスクを抜き取る際に誤って接触した場合のハードディスクとコンピュータ装置筐体とのショートの発生を防止するハードディスク接続装置が知られている。ハードディスク故障防止のため、作業者は、ハードディスク抜去の際にコンピュータ装置本体の電源切断またはコンピュータ装置がハードディスクの電気的接続を切り離した後、一定時間待つ。また、作業者は、その一定時間の待機によりハードディスク内のシリンダの惰性回転が収まってからハードディスクをコンピュータ装置筐体から抜去するという操作が一般的である。しかし現状では、作業者の誤操作を防止できず、またコンピュータ装置本体の電源切断またはコンピュータ装置がハードディスクの電気的接続を切り離してから抜去するまでの時間は作業者の判断に依存しているため、待機時間が不十分な場合がある。このハードディスク接続装置は、ハードディスク内のプラッタが回転している間、ハードディスク抜去禁止としてＬＥＤ等にてユーザに通知する。
【０００４】
ハードディスク接続装置の一例が特許文献１に記載されている。特許文献１に記載されたハードディスク接続装置は、キャニスタに搭載されたハードディスクが抜去されたことを検出すると、ＬＥＤ制御信号によりＬＥＤを橙色に点灯切替えする。さらに制御マイコンはハードディスクのプラッタが停止するのに要する時間が経過するまで待機する。時間が経過すると橙色ＬＥＤを消灯する。
【先行技術文献】
【特許文献】
【０００５】
【特許文献１】特開２００４−２０６７４６号公報
【発明の概要】
【発明が解決しようとする課題】
【０００６】
しかしながら、上述した特許文献１に記載された技術は、本体側にＬＥＤ表示部とＬＥＤ表示部を稼働する回路を追加する必要がある。したがって、特許文献１に記載された技術は、コンピュータ装置への改造が必要でありコストがかかるという問題点がある。
【０００７】
本発明の目的の一例は、上述した問題点を解決できるハードディスク接続装置、ハードディスクキャリア装置およびハードディスク抜去防止方法を提供することにある。
【課題を解決するための手段】
【０００８】
本発明の一形態における第１のハードディスク接続装置は、コンピュータ装置もしくは蓄電部からの電源の供給時に所定の表示を行う表示部と、コンピュータ装置からの電源の供給が停止してから、予め設定した時間が経過した場合、表示部の表示を消す時間制御部と、コンピュータ装置からの電源の供給時に充電を行い、コンピュータ装置からの電源供給が停止した場合、放電を開始し表示部と時間制御部に電源を供給する蓄電部とを含む。
【０００９】
本発明の一形態における第１のハードディスク抜去防止方法は、コンピュータ装置からの電源の供給時、蓄電部が充電を行い、表示部がハードディスクキャリア装置抜去禁止である旨の表示を行い、コンピュータ装置からの電源の供給が停止した場合、時間制御部がタイマーの計時を開始し、蓄電部が放電を開始し、表示部と時間制御部に給電し、コンピュータ装置からの電源の供給が停止し予め設定した時間が経過した場合、時間制御部が表示部のハードディスクキャリア装置抜去禁止である旨の表示を消す。
【発明の効果】
【００１０】
本発明によれば、コンピュータ装置への改造が不要であり、ハードディスクの損傷やハードディスクとコンピュータ装置筐体とのショートの発生を防止できるという効果が得られる。
【図面の簡単な説明】
【００１１】
【図１】図１は、本発明の第１の実施の形態におけるハードディスクキャリア装置１０００の一例を示す概略図（上面図）である。
【図２】図２は、第１の実施の形態におけるハードディスク接続装置１００の構成の一例と、ハードディスクキャリア装置１０００、装置３００の電源供給機能に係る回路との接続を示す概略の回路図である。
【図３】図３は、第１の実施の形態における、装置３００からの電源供給時の表示部１４１の表示の一例を示す概略図である。
【図４】図４は、第１の実施の形態における、装置３００の電源切断直後の表示部１４１の表示の一例を示す概略図である。
【図５】図５は、第１の実施の形態における、装置３００の電源切断後、予め設定した時間が経過した後の表示部１４１の表示の一例を示す概略図である。
【図６】図６は、本発明の変形例におけるハードディスク接続装置１００の構成の一例と、ハードディスクキャリア装置１０００、装置３００の電源供給機能に係る回路との接続を示す概略の回路図である。
【図７】図７は、本発明の第２の実施の形態におけるハードディスクキャリア装置１００１の一例を示す概略図（上面図）である。
【図８】図８は、第２の実施の形態におけるハードディスク接続装置１０１の構成の一例と、ハードディスクキャリア装置１００１、装置３００の電源供給機能に係る回路との接続を示す概略の回路図である。
【図９】図９は、本発明の第３の実施の形態におけるハードディスクキャリア装置１００２の一例を示す概略図（上面図）である。
【図１０】図１０は、第３の実施の形態におけるハードディスク接続装置１０２の構成の一例と、ハードディスクキャリア装置１００２、装置３００の電源供給機能に係る回路との接続を示す概略の回路図である。
【図１１】図１１は、第４の実施の形態におけるハードディスクキャリア装置１００３、ハードディスク接続装置１０３および装置３００の電源部の一例を示すブロック図である。
【発明を実施するための形態】
【００１２】
次に、本発明の実施形態について図面を参照して詳細に説明する。
【００１３】
［第１の実施の形態］
図１は、本発明の第１の実施の形態におけるハードディスクキャリア装置１０００の一例を示す概略図（上面図）である。また、筐体カバーやケーブル、イジェクトレバー等ハードディスクキャリア装置１０００の構造の説明に不要な部品は説明を割愛し、図に記載しない。ハードディスクキャリア装置１０００は、少なくともハードディスク接続装置１００とハードディスク２００と表示部１４１を内蔵する。
【００１４】
ハードディスクキャリア装置１０００は、装置３００の所定の位置に装着する。
【００１５】
ハードディスク接続装置１００は、ハードディスク２００と接続された状態でハードディスクキャリア装置１０００内に実装されている。また、装置３００とハードディスク接続装置１００は、各々の相対する面に接続端子を有する。ハードディスクキャリア装置１０００がその接続端子を介して装置３００の所定の位置に装着された場合、装置３００とハードディスク接続装置１００の各々の接続端子が接続されることにより、装置３００は、ハードディスク２００と接続される。このことにより、装置３００はハードディスク２００への１２Ｖおよび５Ｖの電源供給が可能になり、装置３００とハードディスク２００との間のデータの送受信が可能となる。
【００１６】
表示部１４１は、後述する表示回路１４０のハードディスクキャリア装置１０００が抜去禁止である旨の表示をハードディスクキャリア装置１０００前方に表示する。加えて表示部１４１は、ハードディスク２００の状態を表示してもよい。具体的には、表示部１４１は、レンズバーなどにより実現される。後述の表示回路１４０が表示するＬＥＤ等の表示を、ハードディスクキャリア装置１０００前方に取り付けられたレンズに到達させることで表示部１４１は抜去禁止の旨の表示を行う。
【００１７】
図２は、本発明の第１の実施の形態におけるハードディスク接続装置１００の構成の一例と、ハードディスクキャリア装置１０００、装置３００の電源供給機能に係る回路との接続を示す概略の回路図である。図２を参照すると、ハードディスク接続装置１００は、電源制御回路１１０と時間制御回路１２０と蓄電回路１３０と表示回路１４０とスイッチ回路１５０と、を備える。
【００１８】
電源制御回路１１０は、接続するハードディスク２００個別の電源管理を行う。
【００１９】
時間制御回路１２０は、装置３００の５Ｖ電源供給部３２０を監視しており、５Ｖ電源の供給が停止した場合、タイマーの計時を開始する。予め設定した時間が経過した場合、時間制御回路１２０は、表示回路１４０の表示を消す。なお、予め設定した時間は、装置３００の電源供給が停止してからハードディスク２００内のプラッタの惰性回転が終了し停止するまでの時間を基準にして任意に設定される。誤差を考慮し適宜余裕を加味した時間を設定してもよい。
【００２０】
蓄電回路１３０は、装置３００からの電源供給時、常に１２Ｖ電源供給部３１０からの給電によって充電を行う。装置３００の電源切断またはハードディスクキャリア装置１０００が装置から接続解除された場合すなわち装置３００からの電源供給が停止した場合、蓄電回路１３０は放電を開始する。
【００２１】
表示回路１４０は、ＬＥＤなどにより実現され、装置３００からの電源供給時は常にハードディスクキャリア装置１０００が抜去禁止である旨の表示を行う。装置３００からの電源供給が停止してから、時間制御回路１２０の制御により表示が消されるまでの間、表示回路１４０は蓄電回路１３０の放電によりハードディスクキャリア装置１０００が抜去禁止である旨の表示を継続する。
【００２２】
スイッチ回路１５０は、ＦＥＴ（Ｆｉｅｌｄ  Ｅｆｆｅｃｔ  Ｔｒａｎｓｉｓｔｏｒ、電界効果トランジスタ）などにより実現される。装置３００からの５Ｖ電源供給が停止した場合、スイッチ回路１５０は自動的にＯＦＦ状態となり、蓄電回路１３０の放電がハードディスク２００へ漏洩することを遮断する。これにより、装置３００からの電源供給が停止した場合、ハードディスク２００への電源供給は停止するが、時間制御回路１２０及び表示回路１４０への電源供給は、蓄電回路１３０からの放電により継続される。
【００２３】
図３〜５に表示部１４１の表示の一例を示す。なお、図３〜５の図中におけるＡ、Ｂの表示は前述のハードディスク２００の状態の表示であり、無くてもよい。図３〜５の図中におけるＣの表示は、表示回路１４０による表示部１４１への表示である。
【００２４】
図３は、本発明の第１の実施の形態における、装置３００からの電源供給時の表示部１４１の表示の一例を示す概略図である。この図３を参照すると、表示部１４１にはＣの表示、すなわちハードディスクキャリア装置１０００が抜去禁止である旨の表示がある。
【００２５】
図４は、本発明の第１の実施の形態における、装置３００からの電源供給が停止した直後の表示部１４１の表示の一例を示す概略図である。この図４を参照すると、表示部１４１には蓄電回路１３０からの放電によりＣの表示、すなわちハードディスクキャリア装置１０００が抜去禁止である旨の表示が継続されている。
【００２６】
図５は、本発明の第１の実施の形態における、装置３００からの電源供給が停止した後、予め設定した時間が経過した後の表示部１４１の表示の一例を示す概略図である。この図５を参照すると、表示部１４１には時間制御回路１２０の制御によりＣの表示、すなわちハードディスクキャリア装置１０００が抜去禁止である旨の表示が消去されている。
【００２７】
次に、本発明の第１の実施の形態の効果について説明する。
【００２８】
上述した本実施形態におけるハードディスク接続装置１００は、ハードディスクの損傷やハードディスクとコンピュータ装置筐体とのショートの発生を防止でき、またコンピュータ装置への改造が不要である。
【００２９】
その理由は、以下のような構成を含むからである。即ち、第１に、装置３００の電源切断またはハードディスクキャリア装置１０００が装置３００から接続解除されて以降すなわち装置３００からの電源供給が停止して以降、時間制御回路１２０の制御の下、予め設定した時間の間、表示回路１４０はハードディスクキャリア装置１０００が抜去禁止である旨の表示を行う。第２に、表示回路１４０はハードディスク接続装置１００の構成の一つであり、表示回路１４０および表示部１４１はハードディスクキャリア装置１０００内にある。第３に、装置３００からの電源供給が停止して以降、時間制御回路１２０及び表示回路１４０は、ハードディスク接続装置１００内の蓄電回路１３０からの放電により動作する。これにより、ハードディスク２００の抜去禁止の時間の間、その旨の表示を実施できる。また本実施形態は、ハードディスク２００を除くハードディスクキャリア装置１０００内の装置の処理のみによって実現され、ハードディスク２００および装置３００の処理を必要としない。したがって、ハードディスクの損傷やハードディスクとコンピュータ装置筐体とのショートの発生を防止でき、またコンピュータ装置への改造が不要であるという効果が得られる。
【００３０】
［変形例］
第１の実施の形態における表示回路１４０は、ハードディスク接続装置１００内ではなく、ハードディスクキャリア装置１０００の前面に備えられてもよい。この場合、表示部１４１はレンズバー等を必要とせず、直接表示回路１４０の表示をハードディスクキャリア装置１０００前面に表示する。
【００３１】
図６は、本発明の変形例におけるハードディスク接続装置１００の構成の一例と、ハードディスクキャリア装置１０００、装置３００の電源供給機能に係る回路との接続を示す概略の回路図である。
【００３２】
この変形例においても、ハードディスク２００を除くハードディスクキャリア装置１０００内の装置の処理のみによって実現され、ハードディスク２００および装置３００の処理を必要としないので、第１の実施の形態と同じくハードディスクの損傷やハードディスクとコンピュータ装置筐体とのショートの発生を防止でき、またコンピュータ装置への改造が不要であるという効果が得られる。
【００３３】
［第２の実施形態］
次に、本発明の第２の実施形態について図面を参照して詳細に説明する。以下、本実施形態の説明が不明確にならない範囲で、前述の説明と重複する内容については説明を省略する。
【００３４】
図７は、本発明の第２の実施の形態におけるハードディスクキャリア装置１００１の一例を示す概略図（上面図）である。第２の実施の形態におけるハードディスクキャリア装置１００１は、第１の実施の形態におけるハードディスクキャリア装置１０００に比べて、抜去防止機構１６１がハードディスクキャリア装置１００１に追加されている。また、ハードディスクキャリア装置１０００、ハードディスク接続装置１００の代わりにハードディスクキャリア装置１００１、ハードディスク接続装置１０１を備える。
【００３５】
図８は、本発明の第２の実施の形態におけるハードディスク接続装置１０１の構成の一例と、ハードディスクキャリア装置１００１、装置３００の電源供給機能に係る回路との接続を示す概略の回路図である。
【００３６】
図８を参照すると、本実施形態におけるハードディスクキャリア装置１００１は、第１の実施形態のそれと比べて、新たに機構駆動部１６０を備える。また、時間制御回路１２１は、時間制御回路１２０と機能が一部異なる。
【００３７】
抜去防止機構１６１は機構部品であり、装置３００の筐体の一部分に係止しハードディスクキャリア装置１００１を物理的に装置３００から抜去できない状態と、抜去できる状態の二状態を取る。なお、図８にはハードディスクキャリア装置１００１の両端に備えられた鍵状の機構部品として記載しているが、抜去防止機構１６１の形状、部材の数、材質、二状態の遷移方法等は前述の機能が備えられていればどのような方法でもよい。たとえば電磁ロックによって実現されてもよい。また、必要であれば装置３００の筐体は、抜去防止機構１６１に係合する場所に凹部を設けるなど必要な処置が行われてもよい。
【００３８】
機構駆動部１６０は、時間制御回路１２１の通知により、抜去防止機構１６１の駆動を制御する。
【００３９】
時間制御回路１２１は、前述した時間制御回路１２０の機能に加えて、表示回路１４０に対しハードディスクキャリア装置１０００が抜去禁止である旨を表示させるよう制御する。さらに、時間制御回路１２１は、５Ｖ電源の供給時および供給が停止してから予め設定した時間が経過するまでの時間、ハードディスクキャリア装置１００１を物理的に装置３００から抜去できない状態にする。そのため、時間制御回路１２１は、抜去防止機構１６１を駆動するよう、機構駆動部１６０に通知する。５Ｖ電源の供給が停止してから予め設定した時間が経過した場合、ハードディスクキャリア装置１００１を装置３００から抜去できる状態にするよう、機構駆動部１６０に指示する。また、機構駆動部１６０を備えず、時間制御回路１２１が直接抜去防止機構１６１の駆動を制御してもよい。
【００４０】
次に、本発明の第２の実施の形態の効果について説明する。
【００４１】
上述した本実施形態におけるハードディスク接続装置１０１は、ハードディスクの損傷やハードディスクとコンピュータ装置筐体とのショートの発生を防止できる。
【００４２】
その理由は、以下のような構成を含むからである。即ち、第１に機構駆動部１６０は、表示回路１４０がハードディスクキャリア装置１０００が抜去禁止である旨の表示を行う場合、すなわち５Ｖ電源の供給中および供給が停止してから予め設定した時間が経過するまでの時間、ハードディスクキャリア装置１００１を物理的に装置３００から抜去できない状態にするよう抜去防止機構１６１を駆動する。第２に、機構駆動部１６０は、５Ｖ電源の供給が停止してから予め設定した時間が経過した場合、ハードディスクキャリア装置１００１を装置３００から抜去できる状態にするよう抜去防止機構１６１を駆動する。したがって、ハードディスクキャリア装置１００１が抜去禁止である旨表示されている間、ハードディスクキャリア装置１００１は物理的に抜去できない状態となるので、ハードディスク接続装置１０１は、さらにハードディスクの損傷やハードディスクとコンピュータ装置筐体とのショートの発生を防止できるという効果が得られる。
【００４３】
［第３の実施形態］
次に、本発明の第３の実施形態について図面を参照して詳細に説明する。以下、本実施形態の説明が不明確にならない範囲で、前述の説明と重複する内容については説明を省略する。
【００４４】
図９は、本発明の第３の実施の形態におけるハードディスクキャリア装置１００２の一例を示す概略図（上面図）である。第３の実施の形態におけるハードディスクキャリア装置１００２は、第１の実施の形態におけるハードディスクキャリア装置１０００に比べて、スピーカ部１７０がハードディスクキャリア装置１００２に追加されている。また、ハードディスクキャリア装置１０００、ハードディスク接続装置１００の代わりにハードディスクキャリア装置１００２、ハードディスク接続装置１０２を備える。
【００４５】
図１０は、本発明の第３の実施の形態におけるハードディスク接続装置１０２の構成の一例と、ハードディスクキャリア装置１００２、装置３００の電源供給機能に係る回路との接続を示す概略の回路図である。
【００４６】
図１０を参照すると、本実施形態におけるハードディスクキャリア装置１００２は、第１の実施形態のそれと比べて、図９と同様、新たにスピーカ部１７０を備える。また、時間制御回路１２２は、時間制御回路１２０と機能が一部異なる。
【００４７】
スピーカ部１７０は、ハードディスクキャリア装置１００２前面に設置され、時間制御回路１２２の制御により予め設定された音を鳴らす。
【００４８】
時間制御回路１２２は、時間制御回路１２０の機能に加えて、５Ｖ電源の供給が停止してから予め設定した時間が経過した場合、スピーカ部１７０が予め設定された音を鳴らすよう制御する。また、５Ｖ電源の供給が停止した場合、時間制御回路１２２は、スピーカ部１７０が予め設定された音を鳴らすよう制御し、５Ｖ電源の供給が停止してから予め設定した時間が経過した場合、スピーカ部１７０の音を止めるよう制御してもよい。５Ｖ電源の供給が停止してから予め設定した時間が経過したことを作業者に通知できる方法であれば、音の鳴らし方はどのような方法でもよい。
【００４９】
次に、本発明の第３の実施の形態の効果について説明する。
【００５０】
上述した本実施形態におけるハードディスク接続装置１０２は、さらにハードディスクの損傷やハードディスクとコンピュータ装置筐体とのショートの発生を防止できる。
【００５１】
その理由は、以下のような構成を含むからである。即ち、第１にスピーカ部１７０は、５Ｖ電源の供給が停止してから予め設定した時間が経過したことを作業者に通知する。したがって、作業者は、ハードディスクキャリア装置１００２の表示部１４１を目視していない場合であっても、スピーカ部１７０の音によりハードディスクキャリア装置１００２が抜去できることを確認できるので、ハードディスク接続装置１０２は、さらにハードディスクの損傷やハードディスクとコンピュータ装置筐体とのショートの発生を防止できるという効果が得られる。
【００５２】
［第４の実施形態］
次に、本発明の第４の実施形態について図面を参照して詳細に説明する。以下、本実施形態の説明が不明確にならない範囲で、前述の説明と重複する内容については説明を省略する。
【００５３】
図１１は、本発明の第４の実施の形態におけるハードディスクキャリア装置１００３、ハードディスク接続装置１０３および装置（コンピュータ装置）３００の電源部の一例を示すブロック図である。図１１を参照すると、ハードディスク接続装置１０３は、時間制御部１２３と蓄電部１３１と表示部１４１と、を備える。また、ハードディスクキャリア装置１００３は、ハードディスク２００とハードディスク接続装置１０３と、を備える。装置３００は電源３３０を備える。
【００５４】
表示部１４１は、装置３００の電源３３０もしくは蓄電部１３１からの電源の供給時に所定の表示を行う。所定の表示とは、連続点灯あるいは点滅でもよい。あるいは、文字や画像の表示でもよい。
【００５５】
時間制御部１２３は、第１の実施形態における時間制御回路１２０に相当する。すなわち、時間制御部１２３は、装置３００の電源３３０からの電源の供給が停止してから、予め設定した時間が経過した場合、表示部１４１の表示を消す。
【００５６】
蓄電部１３１は、装置３００からの電源の供給時に充電を行い、装置３００の電源３３０からの電源の供給が停止した場合、放電を開始し表示部１４１と時間制御部１２３に電源を供給する。蓄電部１３１は、第１の実施形態における蓄電回路１３０とスイッチ回路１５０に相当する構成を備えてもよい。
【００５７】
本発明の第４の実施の形態の効果は、第１の実施の形態の効果と同一である。
【００５８】
以上説明した、本発明の各実施形態における各構成要素は、その機能をハードウェア的に実現することはもちろん、プログラム制御に基づくコンピュータ装置、ファームウェアで実現することができる。プログラムは、磁気ディスクや半導体メモリなどのコンピュータ可読記録媒体に記録されて提供され、コンピュータの立ち上げ時などにコンピュータに読み取られる。この読み取られたプログラムは、そのコンピュータの動作を制御することにより、そのコンピュータを前述した各実施の形態における構成要素として機能させる。
【００５９】
以上、各実施の形態を参照して本発明を説明したが、本発明は上記実施の形態に限定されるものではない。本発明の構成や詳細には、本発明のスコープ内で当業者が理解しえる様々な変更をすることができる。
【００６０】
たとえば、以上の各実施形態で説明した各構成要素は、必ずしも個々に独立した存在である必要はない。例えば、各構成要素は、複数の構成要素が１個のモジュールとして実現されたり、一つの構成要素が複数のモジュールで実現されたりしてもよい。また、各構成要素は、ある構成要素が他の構成要素の一部であったり、ある構成要素の一部と他の構成要素の一部とが重複していたり、といったような構成であってもよい。
【００６１】
上記の実施形態の一部又は全部は、以下の付記のようにも記載されうるが、以下には限られない。
【００６２】
（付記１）コンピュータ装置もしくは蓄電部からの電源の供給時に所定の表示を行う表示部と、前記コンピュータ装置からの電源の供給が停止してから、予め設定した時間が経過した場合、前記表示部の表示を消す時間制御部と、前記コンピュータ装置からの電源の供給時に充電を行い、前記コンピュータ装置からの電源供給が停止した場合、放電を開始し前記表示部と前記時間制御部に電源を供給する蓄電部とを含むハードディスク接続装置。
【００６３】
（付記２）前記時間制御部が計時する予め設定した時間は、前記コンピュータ装置からハードディスクへの電源の供給停止からハードディスク内のプラッタの惰性回転が終了し停止するまでの時間を基準にして設定される付記１記載のハードディスク接続装置。
【００６４】
（付記３）前記蓄電部は、前記コンピュータ装置からの電源の供給が停止した場合、前記蓄電部の放電がハードディスクへ漏洩することを遮断するスイッチ回路を有する付記１または２に記載のハードディスク接続装置。
【００６５】
（付記４）ハードディスクキャリア装置を前記コンピュータ装置から抜去できない状態にする抜去防止機構を更に備え、前記コンピュータ装置からの電源の供給時および前記コンピュータ装置からの電源の供給が停止してから予め設定した時間が経過するまでの時間、前記時間制御部が前記ハードディスクキャリア装置を前記コンピュータ装置から抜去できない状態にし、前記コンピュータ装置からの電源の供給が停止してから予め設定した時間が経過した場合、前記時間制御部が前記ハードディスクキャリア装置を前記コンピュータ装置から抜去できる状態にする付記１ないし３のいずれか１項に記載のハードディスク接続装置。
【００６６】
（付記５）前記時間制御部の制御により予め設定された音を鳴らすスピーカ部を更に備え、前記コンピュータ装置からの電源の供給が停止してから予め設定した時間が経過した場合、前記時間制御部が予め設定された音を前記スピーカ部が鳴らすよう制御する付記１ないし４のいずれか１項に記載のハードディスク接続装置。
【００６７】
（付記６）付記１ないし５のいずれか１項に記載のハードディスク接続装置と、前記ハードディスク接続装置に接続するハードディスクとを少なくとも含むハードディスクキャリア装置。
【００６８】
（付記７）コンピュータ装置からの電源の供給時、蓄電部が充電を行い、表示部がハードディスクキャリア装置抜去禁止である旨の表示を行い、前記コンピュータ装置からの電源の供給が停止した場合、時間制御部がタイマーの計時を開始し、前記蓄電部が放電を開始し、前記表示部と前記時間制御部に給電し、前記コンピュータ装置からの電源の供給が停止し予め設定した時間が経過した場合、前記時間制御部が前記表示部のハードディスクキャリア装置抜去禁止である旨の表示を消すハードディスク抜去防止方法。
【００６９】
（付記８）前記時間制御部が計時する予め設定した時間は、前記コンピュータ装置からハードディスクへの電源供給停止からハードディスク内のプラッタの惰性回転が終了し停止するまでの時間を基準にして設定される付記７記載のハードディスク抜去防止方法。
【００７０】
（付記９）前記蓄電部は、前記コンピュータ装置からの電源の供給が停止し放電を開始した場合、放電によるハードディスクへの電荷の漏洩を遮断するスイッチ回路を有する付記７または８に記載のハードディスク抜去防止方法。
【００７１】
（付記１０）ハードディスクキャリア装置を前記コンピュータ装置から抜去できない状態にする抜去防止機構を更に備え、前記コンピュータ装置からの電源の供給時、前記時間制御部が前記ハードディスクキャリア装置を前記コンピュータ装置から抜去できない状態にし、前記コンピュータ装置からの電源の供給が停止し予め設定した時間が経過した場合、前記時間制御部がハードディスクキャリア装置を前記コンピュータ装置から抜去できる状態にする付記７ないし９のいずれか１項に記載のハードディスク抜去防止方法。
【００７２】
（付記１１）前記時間制御部の制御により予め設定された音を鳴らすスピーカ部を更に備え、前記コンピュータ装置からの電源の供給が停止し予め設定した時間が経過した場合、前記時間制御部が予め設定された音を前記スピーカ部が鳴らすよう制御する付記７ないし１０のいずれか１項に記載のハードディスク抜去防止方法。
【符号の説明】
【００７３】
１００、１０１、１０２、１０３    ハードディスク接続装置
１１０    電源制御回路
１２０、１２１、１２２    時間制御回路
１２３    時間制御部
１３０    蓄電回路
１３１    蓄電部
１４０    表示回路
１４１    表示部
１５０    スイッチ回路
１６０    機構駆動部
１６１    抜去防止機構
１７０    スピーカ部
２００    ハードディスク
３００    装置
３１０    １２Ｖ電源供給部
３２０    ５Ｖ電源供給部
３３０    電源
１０００、１００１、１００２、１００３    ハードディスクキャリア装置
【図１】
2016100029.tif 000003
【図２】
2016100029.tif 000004
【図３】
2016100029.tif 000005
【図４】
2016100029.tif 000006
【図５】
2016100029.tif 000007
【図６】
2016100029.tif 000008
【図７】
2016100029.tif 000009
【図８】
2016100029.tif 000010
【図９】
2016100029.tif 000011
【図１０】
2016100029.tif 000012
【図１１】
2016100029.tif 000013